(57)【特許請求の範囲】
【請求項１】
店舗に設置され、店舗外の所定拠点へ運搬される貨幣を入金するための貨幣処理装置であって、
貨幣を識別して計数する識別部と、
脱着可能に設けられ、入金された貨幣を収納するためのカセットと、
入金される貨幣の種類が、店舗の売上金の貨幣と売上金以外の貨幣のうち、いずれであるかを指定するための操作表示部と、
前記操作表示部で行われた指定に基づいて入金処理を実行し、前記識別部で識別計数された売上金及び売上金以外の貨幣を前記カセットに収納するよう制御する制御部と
を備え、
前記売上金以外の貨幣の種類には、釣銭準備金元金と余剰金の少なくともいずれか一方と、前記カセットに収納された貨幣の運搬を依頼する依頼先に支払う手数料とが含まれ、
前記操作表示部は、前記入金処理で入金される貨幣の種類が、売上金と、釣銭準備金元金と余剰金の少なくともいずれか一方とのうち、いずれであるかの指定を受け付けて、
前記制御部は、売上金と、釣銭準備金元金と余剰金の少なくともいずれか一方と、手数料とのうち、前記カセットに収納されている貨幣の種類及び種類別の金額に係る情報を、前記依頼先が利用する外部サーバに通知する処理を実行する
ことを特徴とする貨幣処理装置。
【請求項２】
前記制御部は、前記操作表示部で行われた指定に基づいて、前記カセットに収納された売上金貨幣及び売上金以外の貨幣を区別して種類別に管理する
ことを特徴とする請求項１に記載の貨幣処理装置。
【請求項３】
前記カセットが取り外される際に、前記カセットに収納されている売上金以外の貨幣の種類及び種類別の金額を印字したジャーナルを出力するプリンタ
をさらに備えることを特徴とする請求項１又は２に記載の貨幣処理装置。
【請求項４】
前記制御部は、前記操作表示部で釣銭準備金元金の入金が指定された場合には、さらに、前記依頼先に釣銭準備金の運搬を依頼するために該釣銭準備金を構成する貨幣の金種及び金種別枚数を指定する操作を前記操作表示部で受け付けて、前記操作表示部で指定された前記釣銭準備金の金額に相当する前記釣銭準備金元金を、前記売上金以外の貨幣として前記カセットに収納することを特徴とする請求項１〜３のいずれか１項に記載の貨幣処理装置。
【請求項５】
前記制御部は、前記釣銭準備金元金を収納した前記カセットが取り外されて、代わりのカセットが取り付けられると、該カセットに収納されている貨幣を前記識別部で識別計数して、識別計数結果と、先に前記操作表示部で指定された釣銭準備金の金種及び金種別枚数とが一致することを確認する
ことを特徴とする請求項４に記載の貨幣処理装置。
【請求項６】
前記制御部は、前記操作表示部で、前記釣銭準備金元金又は前記余剰金の入金が指定された場合には、指定された種類の貨幣に加えて、前記依頼先に支払う手数料分の貨幣を前記カセットに収納することを特徴とする請求項１〜３のいずれか１項に記載の貨幣処理装置。
【請求項７】
貨幣を識別して計数する識別部、
脱着可能に設けられ、入金された貨幣を収納するためのカセット、
入金される貨幣の種類が、店舗の売上金と、釣銭準備金元金と余剰金の少なくともいずれか一方とのうち、いずれであるかを指定するための操作表示部、及び
前記操作表示部で行われた指定に基づいて入金処理を実行し、前記識別部で識別計数された店舗の売上金と、釣銭準備金元金と余剰金の少なくともいずれか一方、及び前記カセットに収納された貨幣の店舗外所定拠点への運搬を依頼する依頼先に支払う手数料を含む売上金以外の貨幣とを、前記カセットに収納する制御部
を有する、店舗が利用する貨幣処理装置と、
売上金と、釣銭準備金元金と余剰金の少なくともいずれか一方と、手数料とのうち前記貨幣処理装置で前記カセットに収納された貨幣の種類及び種類別の金額に係る情報を前記貨幣処理装置から取得して管理する、前記依頼先が利用するサーバと
を備えることを特徴とする貨幣処理システム。
【請求項８】
貨幣を識別して計数する識別部、
脱着可能に設けられ、入金された貨幣を収納するための回収カセット、
入金される貨幣の種類が、店舗の売上金と釣銭準備金元金のうち、いずれであるかを指定するための操作表示部、及び
前記操作表示部で行われた指定に基づいて入金処理を実行し、売上金を入金する処理では該売上金を前記回収カセットに収納して、釣銭準備金元金を入金する処理では、該釣銭準備金元金及び前記回収カセットに収納された貨幣の運搬を依頼する依頼先に支払う手数料を前記回収カセットに収納すると共に、釣銭準備金を構成する貨幣として、前記釣銭準備金元金の金額分に相当する貨幣の金種及び金種別枚数の指定を受け付け、売上金と、釣銭準備金元金と、手数料とのうち前記回収カセットに収納されている貨幣の種類及び種類別の金額に係る情報と、前記釣銭準備金を構成する貨幣に係る情報とを前記依頼先が利用する外部サーバに通知する処理を実行する回収側制御部
を有する、店舗が利用する回収側貨幣処理装置と、
脱着可能に設けられ、前記回収側貨幣処理装置にも装着可能な補充カセット、及び
前記回収側貨幣処理装置から前記外部サーバに取得した情報に基づいて、前記釣銭準備金を構成する貨幣を前記補充カセットに収納する補充側制御部
を有する、前記依頼先が利用する補充側貨幣処理装置と
を備えることを特徴とする貨幣処理システム。
【発明の詳細な説明】
【技術分野】
【０００１】
この発明は、貨幣処理装置に脱着可能に設けられた貨幣収納用のカセットを利用して、売上金や店舗資金等の種類の異なる貨幣の受け渡しを行うことができる貨幣処理装置及び貨幣処理システムに関する。
【背景技術】
【０００２】
従来、店舗のバックオフィス等に設置され、店舗のレジから回収した貨幣（紙幣及び硬貨）を入金することができる貨幣処理装置が利用されている。例えば、特許文献１には、小売店舗で売上金入金機として利用される貨幣処理装置が開示されている。この貨幣処理装置には、脱着可能な貨幣カセットが設けられている。貨幣処理装置に入金した売上金を貨幣カセットに収納すれば、小売店舗から売上金を回収する警送会社は、貨幣処理装置から貨幣カセットを取り外して、そのまま警送会社の精算場所に運搬することができる。警送会社が運搬する貨幣カセットには店舗の売上金のみが収納されているので、精算場所では、貨幣カセットに収納されている貨幣を店舗売上金として処理することができる。
【先行技術文献】
【特許文献】
【０００３】
【特許文献１】特開２００５−２７６０８２号公報
【発明の概要】
【発明が解決しようとする課題】
【０００４】
しかしながら、上記従来技術では、売上金以外の貨幣の受け渡しに手間がかかる場合があった。例えば、店舗が、手元資金の一部等、売上金以外の貨幣の運搬を警送会社へ依頼する際に、この貨幣を、売上金のみを収納する貨幣カセットに収納することはできないため、店舗担当者は、警送会社の到着を待って貨幣を手渡しする必要があった。貨幣を手渡しする方法は、貨幣カセットを利用する方法に比べてセキュリティ上の問題もある。店舗と警送会社の間では、売上金以外にも店舗資金や釣銭準備金等、種類の異なる様々な貨幣の受け渡しが行われるため、売上金以外の貨幣についても、セキュリティ性を確保した簡便な方法で受け渡しを行いたいという要望があった。
【０００５】
本発明は、従来技術による問題点を解消するためになされたもので、貨幣を収納するカセットを利用して、売上金や店舗資金等の種類の異なる貨幣の受け渡しを容易に行うことができる貨幣処理装置及び貨幣処理システムを提供することを目的とする。
【課題を解決するための手段】
【０００６】
上述した課題を解決し、目的を達成するため、本発明は、店舗に設置され、店舗外の所定拠点へ運搬される貨幣を入金するための貨幣処理装置であって、貨幣を識別して計数する識別部と、脱着可能に設けられ、入金された貨幣を収納するためのカセットと、入金される貨幣の種類が、店舗の売上金の貨幣と売上金以外の貨幣のうち、いずれであるかを指定するための操作表示部と、前記操作表示部で行われた指定に基づいて入金処理を実行し、前記識別部で識別計数された売上金及び売上金以外の貨幣を前記カセットに収納するよう制御する制御部とを備え、前記売上金以外の貨幣の種類には、釣銭準備金元金と余剰金の少なくともいずれか一方と、前記カセットに収納された貨幣の運搬を依頼する依頼先に支払う手数料とが含まれ、前記操作表示部は、前記入金処理で入金される貨幣の種類が、売上金と、釣銭準備金元金と余剰金の少なくともいずれか一方とのうち、いずれであるかの指定を受け付けて、前記制御部は、売上金と、釣銭準備金元金と余剰金の少なくともいずれか一方と、手数料とのうち、前記カセットに収納されている貨幣の種類及び種類別の金額に係る情報を、前記依頼先が利用する外部サーバに通知する処理を実行することを特徴とする。
【０００７】
また、本発明は、上記発明において、前記制御部は、前記操作表示部で行われた指定に基づいて、前記カセットに収納された売上金貨幣及び売上金以外の貨幣を区別して種類別に管理することを特徴とする。
【０００８】
また、本発明は、上記発明において、前記カセットが取り外される際に、前記カセットに収納されている売上金以外の貨幣の種類及び種類別の金額を印字したジャーナルを出力するプリンタをさらに備えることを特徴とする。
【００１０】
また、本発明は、上記発明において、前記制御部は、前記操作表示部で釣銭準備金元金の入金が指定された場合には、さらに、前記依頼先に釣銭準備金の運搬を依頼するために該釣銭準備金を構成する貨幣の金種及び金種別枚数を指定する操作を前記操作表示部で受け付けて、前記操作表示部で指定された前記釣銭準備金の金額に相当する前記釣銭準備金元金を、前記売上金以外の貨幣として前記カセットに収納することを特徴とする。
【００１１】
また、本発明は、上記発明において、前記制御部は、前記釣銭準備金元金を収納した前記カセットが取り外されて、代わりのカセットが取り付けられると、該カセットに収納されている貨幣を前記識別部で識別計数して、識別計数結果と、先に前記操作表示部で指定された釣銭準備金の金種及び金種別枚数とが一致することを確認することを特徴とする。
【００１２】
また、本発明は、上記発明において、前記制御部は、前記操作表示部で、前記釣銭準備金元金又は前記余剰金の入金が指定された場合には、指定された種類の貨幣に加えて、前記依頼先に支払う手数料分の貨幣を前記カセットに収納することを特徴とする。
【００１３】
また、本発明は、貨幣処理システムであって、貨幣を識別して計数する識別部、脱着可能に設けられ、入金された貨幣を収納するためのカセット、入金される貨幣の種類が、店舗の売上金と、釣銭準備金元金と余剰金の少なくともいずれか一方とのうち、いずれであるかを指定するための操作表示部、及び前記操作表示部で行われた指定に基づいて入金処理を実行し、前記識別部で識別計数された店舗の売上金と、釣銭準備金元金と余剰金の少なくともいずれか一方、及び前記カセットに収納された貨幣の店舗外所定拠点への運搬を依頼する依頼先に支払う手数料を含む売上金以外の貨幣とを、前記カセットに収納する制御部を有する、店舗が利用する貨幣処理装置と、売上金と、釣銭準備金元金と余剰金の少なくともいずれか一方と、手数料とのうち前記貨幣処理装置で前記カセットに収納された貨幣の種類及び種類別の金額に係る情報を前記貨幣処理装置から取得して管理する、前記依頼先が利用するサーバとを備えることを特徴とする。
【００１４】
また、本発明は、貨幣処理システムであって、貨幣を識別して計数する識別部、脱着可能に設けられ、入金された貨幣を収納するための回収カセット、入金される貨幣の種類が、店舗の売上金と釣銭準備金元金のうち、いずれであるかを指定するための操作表示部、及び前記操作表示部で行われた指定に基づいて入金処理を実行し、売上金を入金する処理では該売上金を前記回収カセットに収納して、釣銭準備金元金を入金する処理では、該釣銭準備金元金及び前記回収カセットに収納された貨幣の運搬を依頼する依頼先に支払う手数料を前記回収カセットに収納すると共に、釣銭準備金を構成する貨幣として、前記釣銭準備金元金の金額分に相当する貨幣の金種及び金種別枚数の指定を受け付け、売上金と、釣銭準備金元金と、手数料とのうち前記回収カセットに収納されている貨幣の種類及び種類別の金額に係る情報と、前記釣銭準備金を構成する貨幣に係る情報とを前記依頼先が利用する外部サーバに通知する処理を実行する回収側制御部を有する、店舗にが利用する回収側貨幣処理装置と、脱着可能に設けられ、前記回収側貨幣処理装置にも装着可能な補充カセット、及び前記回収側貨幣処理装置から前記外部サーバに取得した情報に基づいて、前記釣銭準備金を構成する貨幣を前記補充カセットに収納する補充側制御部を有する、前記依頼先が利用する補充側貨幣処理装置とを備えることを特徴とする。
【発明の効果】
【００１５】
本発明によれば、売上金を入金するための貨幣処理装置のカセットに、売上金以外の貨幣を収納して、カセットに収納されている種類の異なる貨幣を、店舗と警送会社との間で容易に受け渡すことができる。
【図面の簡単な説明】
【００１６】
【図１】図１は、店舗に設置された紙幣処理装置及び外部サーバを含む紙幣処理システムの構成例を示すブロック図である。
【図２】図２は、紙幣処理装置の機能構成概略を示すブロック図である。
【図３】図３は、店舗から現金センターへ運搬する紙幣、及び現金センターから店舗へ運搬する紙幣を説明するための模式図である。
【図４】図４は、紙幣処理装置に２つのカセットを装着する例を示す模式図である。
【図５】図５は、店舗で行われる入金処理の流れを示すフローチャートである。
【図６】図６は、警送会社でカセットを準備する処理の流れを示すフローチャートである。
【図７】図７は、店舗の紙幣処理装置で出力されるジャーナルの例を示す図である。
【発明を実施するための形態】
【００１７】
以下に、添付図面を参照して、本発明に係る貨幣処理装置及び貨幣処理システムについて詳細に説明する。貨幣処理装置及び貨幣処理システムでは、紙幣と硬貨の少なくともいずれか一方を処理することができるが、硬貨は、紙幣と同様に処理することができるので、本実施形態では、紙幣を処理対象とする紙幣処理装置（貨幣処理装置）及び紙幣処理システム（貨幣処理システム）を例に説明する。貨幣の受け渡しを行う主体についても特に限定されないが、本実施形態では、店舗と警送会社との間で貨幣の受け渡しを行うものとする。また、警送会社は、現金センターと呼ばれる精算場所や銀行等の所定の拠点と店舗との間で貨幣を運搬するが、以下では現金センターと店舗との間で貨幣を運搬する場合を例に説明する。
【００１８】
図１は、店舗１に設置された紙幣処理装置２及び外部サーバ４を含む紙幣処理システムの構成例を示すブロック図である。紙幣処理装置２は、店舗１のバックオフィス等に設置され、店舗１のレジから売上金として回収した紙幣を入金するために利用される。店舗１内の紙幣処理装置２は、インターネット回線や専用回線等のネットワーク３を介して、外部サーバ４と通信可能に接続されている。なお、紙幣処理システムが、紙幣処理装置２と同様の構成を有する別の紙幣処理装置を含み、警送会社が、この紙幣処理装置を利用して、店舗との間で受け渡す貨幣を準備する場合もあるが詳細は後述する。
【００１９】
外部サーバ４は、警送会社が利用するサーバ装置である。外部サーバ４は、警送会社が店舗１から回収する紙幣の種類や金額等、回収紙幣に関する情報を紙幣処理装置２から受信して管理する機能を有する。警送会社は、外部サーバ４で管理されている情報を参照して、店舗１から回収する紙幣の種類や、種類毎の紙幣金額（紙幣枚数）等を認識することができる。
【００２０】
ここで、紙幣の種類とは、店舗１の売上金、店舗運営のために店舗１内で管理されている手元資金、店舗１のレジで釣銭用として使用するために営業開始前に準備される釣銭準備金、店舗１が警送会社へ紙幣運搬を依頼する際に支払う手数料等、紙幣の使用目的を示す情報である。本実施形態では、日本紙幣の万円券、千円券等、貨幣価値を示す情報は「金種」と呼んで、紙幣の「種類」と区別する。例えば、手数料として千円を支払う場合には、この紙幣の種類は手数料、金種は千円券となる。
【００２１】
図２は、紙幣処理装置２の機能構成概略を示すブロック図である。紙幣処理装置２は、紙幣を入出金する紙幣処理部２０、入出金処理に係る操作を行うための操作表示部３０、各種プログラム及びデータを保存するための記憶部４０、ネットワーク３を介してデータを送受信する通信部５０、及び紙幣処理に関する情報を印字したジャーナルを出力するプリンタ６０と、これら各部を制御して本実施形態に記載する各機能及び動作を実現する制御部１０とを有している。
【００２２】
紙幣処理部２０は、入金する複数枚の紙幣を受け付けるための入金口２１、出金する紙幣を排出するための出金口２２、装置内の搬送路で紙幣を１枚ずつ搬送する搬送部２３、搬送路を搬送される紙幣の金種、真偽、正損等を識別する識別部２４、紙幣を収納する収納部２５及びカセット２６を有している。収納部２５は紙幣処理装置２内で固定された状態で利用されるのに対して、カセット２６は紙幣処理装置２に対して脱着可能に設けられている。なお、図２では１つの収納部２５を示しているが、紙幣処理装置２は複数の収納部２５を有し、各収納部２５に紙幣を金種別に収納するようになっている。また、カセット２６については、紙幣処理装置２が、１つのカセット２６を備える態様であってもよいし、２つ以上のカセット２６を備える態様であってもよいが詳細は後述する。
【００２３】
入金処理時には、例えば、入金口２１に受け付けた紙幣を１枚ずつ装置内の搬送路に取り込んで搬送部２３で搬送し、識別部２４で識別した後、識別結果に基づいて、対応する収納部２５に金種別に収納する。また、出金処理時には、例えば、操作表示部３０で出金するよう指定された金種及び金額分の紙幣を、対応する収納部２５から搬送路に繰り出して搬送部２３によって搬送し、出金口２２に排出する。また、紙幣処理装置２から、店舗１の売上金を回収する際には、回収対象の紙幣が、収納部２５から繰り出されて搬送部２３によって搬送され、カセット２６に収納されるようになっている。なお、以下では紙幣を例に説明するが、カセット２６内には、紙幣以外に、商品券や小切手等の有価媒体を収納することも可能となっている。
【００２４】
操作表示部３０は、例えばタッチパネル式の液晶表示装置から成り、紙幣処理に関する情報の出力表示や、紙幣処理に関する指示や設定等の情報入力を行うために利用される。記憶部４０は、例えば半導体メモリやハードディスク等の不揮発性の記憶装置から成り、入出金処理を行うために必要な各種情報の保存に利用される。通信部５０は、紙幣処理に関する情報や回収紙幣に関する情報を、外部サーバ４との間で送受信する機能を有する。
【００２５】
例えば、店舗１のレジを担当するレジ係は、店舗１の営業時間終了後等の所定タイミングで、自身の担当するレジから紙幣を回収し、回収した紙幣を持ってバックオフィスへ移動する。そして、回収紙幣を紙幣処理装置２に入金する入金処理を実行する。こうして、レジから回収した店舗１の売上金を紙幣処理装置２に入金することができる。
【００２６】
また、警送会社が、店舗１の売上金を紙幣処理装置２から回収する際には、回収対象となる売上分の紙幣を収納部２５から繰り出してカセット２６に収納した後、警送会社の担当者が、紙幣処理装置２からカセット２６を取り外してカセットごと回収することができる。ただし、売上金入金時には売上金紙幣を収納部２５に収納して、売上金回収時に売上金紙幣を収納部２５からカセット２６へ移動させる態様に限定されるものではなく、売上金入金時から売上金紙幣をカセット２６に収納する態様であってもよい。カセット２６には、売上金に加えて売上金以外の紙幣を収納することもできるが詳細は後述する。
【００２７】
紙幣処理装置２に、釣銭準備金等の紙幣を補充する場合には、警送会社の担当者が、釣銭準備金用の紙幣を収納したカセット２６を店舗１まで運んでくる。このカセット２６を紙幣処理装置２に装着すると、カセット２６から繰り出された紙幣が搬送部２３によって搬送され、識別部２４で識別計数された後、識別結果に基づいて、対応する収納部２５に金種別に収納される。こうして釣銭準備金として準備された紙幣が収納部２５に収納されると、レジ係は、釣銭用の紙幣を紙幣処理装置２から出金してレジで使用することができる。
【００２８】
次に、カセット２６（２６ａ〜２６ｆ）を利用して行う紙幣処理について説明する。図３は、店舗１から現金センターへ運搬する紙幣、及び現金センターから店舗１へ運搬する紙幣を説明するための模式図である。図３（ａ）は、店舗１から現金センターへ運搬する紙幣を示し、図３（ｂ）は、現金センターから店舗１へ運搬された紙幣を示している。
【００２９】
カセット２６ａを紙幣処理装置２に装着した状態で入金処理を行って、カセット２６ａ内部に、売上金、釣銭準備金元金、余剰金、手数料等、種類の異なる紙幣を収納することができる（図３（ａ）参照）。ただし、売上金は、例えば店舗１の営業日に必ず入金されるのに対して、釣銭準備金元金、余剰金及び手数料については、店舗１で釣銭準備金が必要な場合や、余剰金の運搬が必要な場合にのみ入金される。
【００３０】
ここで、釣銭準備金元金とは、警送会社に、店舗１への運搬を依頼する釣銭準備金の金額分の紙幣である。例えば、千円券１０００枚の釣銭準備金運搬を依頼する際には、釣銭準備金元金１００万円が必要になる。余剰金とは、店舗１で管理している資金のうち所定金額を超えた分の紙幣である。手数料とは、釣銭準備金や余剰金の運搬を警送会社へ依頼する際に警送会社へ支払う手数料である。例えば、１００万円分の釣銭準備金を店舗１へ運搬するよう依頼した際に、手数料として千円を支払う場合には、釣銭準備金元金と手数料を合計した合計１００万１千円を入金してカセット２６ａに収納する。
【００３１】
紙幣処理装置２に紙幣を入金する際には、入金する紙幣の種類を指定してから入金処理が行われる。具体的には、売上金を入金する際には、操作表示部３０で売上金の入金処理開始を指示する操作を行ってから売上金を入金する。
【００３２】
また、店舗１の担当者が、警送会社に釣銭準備金の運搬を依頼する際には、操作表示部３０で所定操作を行って、釣銭準備金の運搬を依頼するために必要な情報の入力を開始する。例えば、釣銭準備金として、五千円券２０枚、千円券１００枚の合計２０万円分の運搬を警送会社に依頼したい場合には、操作表示部３０を操作して、釣銭準備金元金の入金処理実行を指定した後、続いて釣銭準備金を構成する紙幣の金種及び各金種の紙幣枚数（金額）を指定する。そして、釣銭準備金元金の２０万円と、警送会社へ支払う手数料とを合計した金額分の紙幣を、紙幣処理装置２の入金口２１から入金する。紙幣処理装置２に入金された釣銭準備金元金及び手数料分の紙幣は、識別部２４で識別計数された後、カセット２６ａ内へ収納される。
【００３３】
同様に、店舗１の担当者が、手元資金として店舗１内で管理している紙幣の一部を余剰金として現金センターへ運搬するよう警送会社に依頼する際には、操作表示部３０で、余剰金の入金処理開始を指示する操作を行った後、余剰金及び手数料分の紙幣を入金口２１から入金する。紙幣処理装置２に入金された余剰金及び手数料分の紙幣は、識別部２４で識別計数された後、カセット２６内へ収納される。
【００３４】
すなわち、紙幣処理装置２の操作表示部３０で、入金する紙幣が、売上金、釣銭準備金元金及び余剰金のうち、いずれの種類の紙幣であるかを指定する操作が行われた後、紙幣の入金処理が行われる。そして、指定内容に基づいて、釣銭準備金元金を入金する処理では、釣銭準備金を構成する金種及び金種別枚数を指定する処理が求められる。また、釣銭準備金及び余剰金を入金する場合には、運搬を依頼する紙幣に加えて手数料の入金が求められるようになっている。
【００３５】
釣銭準備金元金の入金処理が実行されると、制御部１０は、釣銭準備金を構成する紙幣の金種及び各金種の紙幣枚数、店舗１を特定可能な情報等を含む釣銭準備金情報を外部サーバ４へ送信する。警送会社では、外部サーバ４で受信した釣銭準備金情報に基づいて、釣銭準備金の運搬依頼があったことを認識して、釣銭準備金の運搬先となる店舗１、釣銭準備金を構成する紙幣の金種及び各金種の紙幣枚数等を確認する。
【００３６】
同様に、余剰金の入金処理が実行されると、制御部１０は、余剰金を構成する紙幣の金種及び各金種の紙幣枚数、店舗１を特定可能な情報等を含む余剰金情報を外部サーバ４へ送信する。警送会社では、外部サーバ４で受信した余剰金情報に基づいて、余剰金の運搬依頼があったことを認識して、余剰金を回収する店舗１、余剰金を構成する紙幣の金種及び各金種の紙幣枚数等を確認する。
【００３７】
紙幣処理装置２内では、制御部１０が、入金処理の実行者を特定する情報、入金日時、入金された紙幣の種類、入金された紙幣の金種及び各金種の紙幣枚数（金額）を含む識別計数結果、釣銭準備金情報を外部サーバ４へ送信した日時、余剰金情報を外部サーバ４へ送信した日時等の情報を、記憶部４０に保存して管理している。これにより、記憶部４０の情報を参照すれば、カセット２６ａに収納された売上金、釣銭準備金元金、余剰金及び手数料等の各種類の紙幣の金種と、金額の内訳とを確認できるようになっている。また、記憶部４０で管理されている情報から、警送会社へ釣銭準備金の運搬を依頼した日時、余剰金の運搬を依頼した日時を確認することも可能となっている。
【００３８】
警送会社では、店舗１から釣銭準備金の運搬を依頼された場合には、店舗１で指定された金種及び枚数の釣銭準備金を収納したカセット２６ｂ（図３（ｂ）参照）を準備する。なお、釣銭準備金の運搬依頼は受けずに、余剰金の運搬依頼のみを受けた場合には、紙幣処理装置２から回収するカセット２６ａと入れ替えて紙幣処理装置２に装着する空のカセットを準備する。
【００３９】
そして、警送会社の担当者は、店舗１から売上金を回収するため、釣銭準備金を収納したカセット２６ｂを持って店舗１へ向かう。店舗１に到着した警送会社の担当者は、紙幣処理装置２の操作表示部３０で所定操作を行って、カセット２６ａの回収処理を開始する。図３（ａ）に示すように、売上金と、釣銭準備金元金、余剰金、手数料等の売上金以外の紙幣とが収納されているカセット２６ａを紙幣処理装置２から取り外して回収する。そして、図３（ｂ）に示すように、回収したカセット２６ａに代えて、店舗１から指定された釣銭準備金を収納した状態で店舗１へ運び込んだカセット２６ｂを紙幣処理装置２に装着する。なお、紙幣処理装置２からカセット２６ａを取り外して運搬する際には、カセット２６ａに収納されている貨幣の種類や金額等、収納貨幣に関する情報を印字したジャーナルがプリンタ６０から出力されるが詳細は後述する。
【００４０】
紙幣処理装置２からカセット２６ａが取り外されてカセット２６ｂが装着されると、制御部１０は、記憶部４０に保存されている情報を参照して、警送会社に釣銭準備金運搬を依頼した後に、カセット２６ａに代えてカセット２６ｂが装着されたことを認識する。そして、制御部１０は、カセット２６ｂから紙幣を繰り出して識別部２４で識別計数し、金種別に収納部２５に収納する。このとき、先に外部サーバ４へ釣銭準備金情報を送信して警送会社に運搬を依頼した釣銭準備金の金種及び枚数と、カセット２６ｂに収納して運搬されてきた紙幣の金種及び枚数とが一致することを確認する。そして、両者が一致しない場合には、操作表示部３０に不足分の紙幣情報を表示するなどしてこれを報知する。報知を受けた警送会社の担当者や店舗１の担当者は確認作業等を行うことができる。
【００４１】
このように、店舗１では、紙幣処理装置２の操作表示部３０を操作して釣銭準備金を構成する紙幣の金種及び金種別枚数を指定して、釣銭準備金の金額に相当する釣銭準備金元金及び手数料を紙幣処理装置２に入金すれば、警送会社に、指定した金種及び枚数の釣銭準備金の運搬を依頼することができる。同様に、余剰金及び手数料を紙幣処理装置２に入金すれば、警送会社に余剰金の運搬を依頼することができる。また、店舗１から依頼を受けた警送会社は、売上金回収に店舗１へ向かった際に、紙幣処理装置２で識別計数されてカセット２６ａに収納された釣銭準備金元金、余剰金、手数料等の紙幣をカセット２６ａごと持ち帰ることができる。これにより、店舗１と警送会社との間で安全かつ容易に紙幣の受け渡しを行うことができる。
【００４２】
図３では、紙幣処理装置２に対して１つのカセット２６（２６ａ又は２６ｂ）を脱着する例を示したが、紙幣処理装置２に脱着するカセット２６の数は複数であってもよい。また、カセット２６が複数ある場合には、各紙幣を種類別に各カセット２６に分類して収納してもよい。
【００４３】
図４は、紙幣処理装置２に２つのカセット２６（２６ｃと２６ｄ、又は２６ｅと２６ｆ）を装着する例を示す模式図である。図４（ａ）に示すように、紙幣処理装置２に２つのカセット２６ｃ、２６ｄを装着可能である場合には、一方のカセット２６ｃを売上金カセット、他方のカセット２６ｄを売上金外カセットとして利用することができる。紙幣処理装置２で売上金入金処理が行われると、制御部１０は、識別計数した売上金紙幣を売上金カセット２６ｃに収納する。一方、釣銭準備金元金を入金する処理が行われた場合、及び余剰金を入金する処理が行われた場合には、制御部１０は、入金紙幣及び手数料を売上金外カセット２６ｄに収納する。この結果、売上金カセット２６ｃには売上金のみが収納され、売上金外カセット２６ｄには、釣銭準備金元金、余剰金及び手数料が収納された状態となる（図４（ａ）参照）。
【００４４】
紙幣処理装置２で、警送会社に釣銭準備金の運搬を依頼する操作が行われると、これを受けた警送会社では、空の売上金カセット２６ｅと、店舗１で指定された金種及び金額分の釣銭準備金を収納した売上金外カセット２６ｆとを準備する（図４（ｂ）参照）。
【００４５】
店舗１の売上金を回収するために、予め準備したカセット２６ｃ、２６ｄを持って店舗１へ到着した警送会社の担当者は、図４（ａ）に示すように、紙幣処理装置２から売上金カセット２６ｃ及び売上金外カセット２６ｄを取り外して回収する。そして、回収したカセット２６ｃ、２６ｄに代えて、図４（ｂ）に示すように、店舗１へ運び込んだカセット２６ｅ、２６ｆを紙幣処理装置２に装着する。店舗１の担当者及び警送会社の担当者が行う各操作と、紙幣処理装置２で行う各処理は、図３を参照しながら説明したように行われる。
【００４６】
図４では、２つのカセット２６ｃ、２６ｄに紙幣を種類別に分類して収納する例を示したが、紙幣処理装置２で紙幣を各カセットに種類別に分類するか否かについては設定により変更できるようになっている。以下、具体的に説明する。
【００４７】
図５は、店舗１で行われる入金処理の流れを示すフローチャートである。紙幣処理装置２で開始された入金処理が売上金の入金処理である場合には（ステップＳ１；Ｙｅｓ）、レジ情報入力等の所定操作を行った後、売上金入金処理が開始される（ステップＳ２）。
【００４８】
紙幣を複数のカセット２６に種類別に分類収納する設定となっている場合には（ステップＳ３；Ｙｅｓ）、制御部１０は、入金された売上金を売上金カセット２６に収納する（ステップＳ４）。一方、紙幣を種類別に分類収納する設定となっていない場合には（ステップＳ３；Ｎｏ）、入金された売上金を、使用中のカセット２６に収納する（ステップＳ５）。そして、制御部１０は、売上金が回収されたレジや入金処理を実行した担当者を特定する情報、入金日時、入金された売上金の識別計数結果等の情報を記憶部４０に記録保存して（ステップＳ６）、処理を終了する。
【００４９】
紙幣処理装置２で開始された入金処理が、釣銭準備金元金や余剰金等、売上金以外の紙幣を入金する入金処理である場合には（ステップＳ１；Ｎｏ）、入金処理を実行する担当者を承認するための所定操作と、入金する紙幣の種類指定等の所定操作とを行った後、釣銭準備金や余剰金を入金するための売上金外入金処理が開始される（ステップＳ７）。
【００５０】
紙幣を複数のカセット２６に種類別に分類して収納する設定となっている場合には（ステップＳ８；Ｙｅｓ）、制御部１０は、入金された売上金以外の紙幣を、売上金外カセット２６に収納する（ステップＳ９）。一方、紙幣を種類別に分類収納する設定となっていない場合には（ステップＳ８；Ｎｏ）、入金された売上金以外の紙幣を、使用中のカセット２６に収納する（ステップＳ５）。そして、制御部１０は、入金処理を実行した担当者を特定する情報、入金日時、入金された売上金以外の紙幣の種類や識別計数結果等の情報を記憶部４０に記録保存して（ステップＳ６）、処理を終了する。
【００５１】
釣銭準備金の運搬、余剰金の運搬等を依頼するために、売上金外入金処理が行われた場合には、制御部１０は、釣銭準備金情報や余剰金情報等の情報を、売上金外情報として外部サーバ４へ送信する。これを受けて、警送会社では、店舗１へ運搬するためのカセット２６を準備する処理が開始される。このとき、カセット２６の準備を手作業で行う態様の他、店舗１と同様に、現金センターに設置した紙幣処理装置２を利用してカセット２６を準備することもできる。以下では、店舗１で利用されている紙幣処理装置２と同じ構成を有する紙幣処理装置２が現金センターに設置されているものとして、この紙幣処理装置２を利用して、店舗１へ運び込むカセット２６を準備する場合を例に処理の流れを説明する。  
【００５２】
なお、現金センターに設置された紙幣処理装置２は、ネットワーク３を介して、店舗１の紙幣処理装置２と外部サーバ４の少なくともいずれか一方と通信可能に接続されており、店舗１の紙幣処理装置２から直接、又は外部サーバ４を介して、店舗１へ運搬する紙幣に関する情報を取得するが、以下では外部サーバ４から情報を取得する場合を例に説明する。
【００５３】
図６は、警送会社でカセット２６を準備する処理の流れを示すフローチャートである。警送会社の担当者は、売上金を回収するために店舗１へ向かう前に、現金センターに設置されている紙幣処理装置２の操作表示部３０で所定操作を行って、店舗１へ運搬するカセット２６の準備を開始する。現金センターの紙幣処理装置２では、制御部１０が、店舗１の紙幣処理装置２から外部サーバ４に受信した売上金外情報を取得する（ステップＳ１１）。そして、制御部１０は、売上金外情報に基づいて、釣銭準備金の運搬依頼があったか否かを確認する（ステップＳ１２）。
【００５４】
店舗１から釣銭準備金の運搬依頼を受けている場合には（ステップＳ１２；Ｙｅｓ）、制御部１０は、売上金外情報を参照して、釣銭準備金を構成する紙幣の金種及び金種別紙幣枚数を確認する。そして、釣銭準備金を構成する紙幣を、収納部２５から繰り出してカセット２６に収納する（ステップＳ１３）。
【００５５】
制御部１０は、店舗１用に釣銭準備金を収納したカセット２６を持って、店舗１へ向かうよう指示する情報を操作表示部３０に表示して（ステップＳ１４）、処理を終了する。このとき、店舗１で利用されている紙幣処理装置２に応じて、必要なカセットの種類及び数を持って店舗１へ向かうよう指示する情報が表示される。具体的には、例えば、図４（ｂ）に示すように、店舗１の紙幣処理装置２で、釣銭準備金を収納した売上金外カセット２６ｆに加えて空の売上金カセット２６ｅが必要となる場合には、これら２つのカセット２６ｅ、２６ｆを持って店舗１へ向かうよう指示する情報が操作表示部３０の画面上に表示される。
【００５６】
一方、店舗１から釣銭準備金の運搬依頼を受けていない場合（ステップＳ１２；Ｎｏ）、すなわち、余剰金の運搬依頼のみを受けている場合、又は釣銭準備金の運搬依頼も余剰金の運搬依頼も受けていない場合には、制御部１０は、店舗１で売上金が収納されたカセット２６を回収する際に、これと入れ替えて紙幣処理装置２に装着する空のカセット２６を持って店舗へ向かうよう指示する情報を操作表示部３０に表示して（ステップＳ１４）、処理を終了する。
【００５７】
こうして、警送会社の担当者は、必要に応じて店舗１から依頼された釣銭準備金を収納したカセット２６を準備した後、準備したカセット２６を持って店舗１へ向かう。そして、店舗１では、上述したように、紙幣処理装置２に装着されているカセット２６を取り外したり、回収したカセット２６に代えて店舗１へ運搬してきたカセット２６を紙幣処理装置２に装着したりする処理を行う。
【００５８】
警送会社が、店舗１の紙幣処理装置２からカセット２６を取り外して回収する際には、プリンタ６０から、カセット２６に収納されている紙幣の内訳等の情報を印字したジャーナルが出力される。図７は、店舗１の紙幣処理装置２から出力されるジャーナルの例を示す図である。図７に示すように、ジャーナルには、カセット２６の回収元となる店舗１を特定可能な店舗識別番号と、店舗１内の紙幣処理装置２を特定可能な処理機識別番号とが印字される。また、ジャーナルには、警送会社の担当者が、店舗１の紙幣処理装置２でカセット２６を回収するための所定操作を行った日時を示す回収日時と、カセット２６に収納されている売上金が、いつの売上であるかを示す売上日とが印字される。さらに、ジャーナルには、売上金に関する情報と、売上金以外の紙幣に関する情報（図７「その他資金」）とが別々に印字される。なお、図７には示していないが、カセット２６を回収した警送会社や、警送会社の担当者を特定する情報をジャーナルに印字するよう設定することも可能となっている。
【００５９】
売上金情報には、売上金が収納されているカセット２６を特定可能なカセット識別番号と、カセット２６に収納されている売上金を構成する紙幣の金種、枚数及び金額と、各金種の紙幣の金額を合計した合計金額（売上金の金額）とが含まれる。
【００６０】
売上金以外の紙幣に関する情報には、釣銭準備金元金、余剰金、手数料等、売上金以外の紙幣が収納されているカセット２６を特定可能なカセット識別番号と、カセット２６に収納されている紙幣の金種、各金種の紙幣枚数及び各金種の金額と、各金種の紙幣の金額を合計した合計金額（売上金以外の紙幣の金額）とが含まれる。また、売上金以外の紙幣に関する情報には、釣銭準備金元金の金額、余剰金の金額、手数料の金額等、種類別の金額が含まれる。
【００６１】
警送会社の担当者は、店舗１の紙幣処理装置２から回収したカセット２６と、プリンタ６０から出力されたジャーナルとを現金センターへ運搬する。図７に示す各情報は、店舗１の紙幣処理装置２から外部サーバ４へ送信されるが、プリンタ６０から出力されたジャーナルをカセット２６と共に運搬することで、警送会社が複数の店舗からカセットを回収する場合もカセットの取り違えを防ぐことができる。また、カセット２６の運搬先となる現金センターでは、外部サーバ４から受信した情報とジャーナルに印字されている情報の少なくともいずれか一方を利用して、カセット２６に収納されている紙幣に超過や不足がないことを確認することができる。
【００６２】
現金センターに設置されている紙幣処理装置２でも同様にプリンタ６０からジャーナルを出力することができる。例えば、現金センターの紙幣処理装置２で、店舗１用の釣銭準備金を収納したカセット２６を準備した場合には、プリンタ６０が、このカセット２６の運搬先となる店舗１を示す店舗識別番号と、カセット２６に収納した釣銭準備金の金種、金種別の金額、各金種の紙幣金額を合計した合計金額とを印字したジャーナルを出力する。警送会社の担当者は、店舗１用に準備したカセット２６と、プリンタ６０から出力されたジャーナルとを持って店舗１へ向かうことができる。
【００６３】
なお、カセット２６を紙幣処理装置２から取り外して運搬する際にカセット２６内に収納されている紙幣に関する情報を認識することができれば、プリンタ６０が、図７に示すように各情報をテキスト形式で印字したジャーナルを出力する態様に限定されるものではない。例えば、プリンタ６０が、図７に示す情報を符号化して生成した２次元バーコード等の所定コードを印字したジャーナルを出力する態様であってもよい。また、各カセット２６が、ＩＣタグ等の情報記録媒体を備えている場合には、紙幣処理装置２が情報記録媒体に対応するリーダライタを備えて、各カセット２６の情報記録媒体に対して各情報を書き込んだり読み込んだりする態様であっても構わない。
【００６４】
本実施形態では、店舗１から釣銭準備金の運搬依頼を受けた警送会社が、店舗１へ向かう前に、釣銭準備金を収納したカセット２６を準備する態様を示したが、店舗１で売上金を回収する際に釣銭準備金の運搬依頼を受けて、その後、釣銭準備金を店舗１へ運搬する態様であっても構わない。
【００６５】
具体的には、例えば、店舗１の営業時間終了後に、警送会社の担当者が、図３（ａ）に示すように、売上金に加えて、釣銭準備金元金や手数料等の売上金外紙幣が収納されたカセット２６ａと、図７に示すジャーナルとを店舗１から回収して持ち帰る。そして、売上金に加えて、釣銭準備金元金や手数料がカセット２６ａに収納されていることを確認した後、外部サーバ４で店舗１の紙幣処理装置２から受信した釣銭準備金情報に基づいて釣銭準備金を収納したカセット２６ｂを準備する。そして、このカセット２６ｂを、翌日、店舗１が営業を開始する前に店舗１へ運搬して、図３（ｂ）に示すように紙幣処理装置２に装着する態様であってもよい。図４に示すように、紙幣処理装置２が複数のカセット２６を備える場合も、店舗１の営業時間終了後に、売上金カセット２６ｃ及び売上金外カセット２６ｄを回収して、翌日の店舗１の営業開始前に、釣銭準備金を収納した売上金外カセット２６ｆを店舗１に運搬して紙幣処理装置２に装着する態様であってもよい。
【００６６】
なお、先に店舗１からカセット２６を回収して釣銭準備金元金及び手数料を持ち帰ってから、後で釣銭準備金を収納したカセット２６を店舗１へ運搬する場合には、釣銭準備金情報を外部サーバ４で受信する態様に限らず、プリンタ６０から、釣銭準備金情報を印字したジャーナルを出力する態様であっても構わない。警送会社が、釣銭準備金元金及び手数料が収納されたカセット２６と、店舗１で指定された釣銭準備金の金種及び金種別枚数が印字されたジャーナルとを店舗１から持ち帰って、指定された釣銭準備金を収納したカセット２６を店舗１へ持ち込むようにすれば、店舗１の紙幣処理装置２がネットワーク３に接続されていない場合でも、店舗１から警送会社へ釣銭準備金の運搬を依頼することができる。
【００６７】
また、売上金入金は店舗１の紙幣処理装置２の入金口２１から入金するが、売上金以外の紙幣の入金については、入金口２１から紙幣を入金する態様の他、入金する紙幣の一部又は全部を、収納部２５からカセット２６へ移動させる態様であってもよい。例えば、店舗１の紙幣処理装置２で、釣銭準備金の運搬を依頼するために、釣銭準備金の金種及び金種別枚数を指定する操作を行うと、釣銭準備金の金額に相当する釣銭準備金元金及び手数料の入金を求める情報が操作表示部３０に表示される。このとき、操作表示部３０で所定操作を行うことにより、収納部２５に収納されている紙幣を、装置内でカセット２６に移動して釣銭準備金元金及び手数料として収納するようにしてもよい。また、釣銭準備金元金の一部、又は手数料を入金口２１から入金して、不足分を収納部２５からカセット２６へ移動して収納する態様であっても構わない。
【００６８】
本実施形態では、カセット２６内に、売上金や釣銭準備金元金等の貨幣を収納する態様を示したが、商品券や小切手等の有価媒体を収納する態様であっても構わない。例えば、売上金の一部として、商品券等の有価媒体をカセット２６内に収納してもよい。また、有価媒体を、釣銭準備金元金等としてカセット２６に収納する態様であっても構わない。
【００６９】
上述してきたように、本実施形態に係る紙幣処理装置２では、店舗１から回収する売上金の他に、釣銭準備金元金、余剰金、手数料等、種類の異なる紙幣をカセット２６に収納することができる。これにより、店舗１の担当者は、釣銭準備金や余剰金等の運搬を警送会社へ依頼する際に、警送会社の担当者が店舗１へ来るのを待って、釣銭準備金元金や余剰金を手渡しする必要がない。また、売上金以外の紙幣についても、紙幣処理装置２で識別計数してカセット２６に収納した状態で受け渡すことができる。さらに、カセット２６に収納されている紙幣の種類や金額等の情報を、送受信するデータやジャーナル等を利用して、店舗１と警送会社の間で共有することができる。これにより、店舗１と警送会社の担当者間で紙幣を手渡しする場合に比べて安全かつ確実に紙幣を処理することができる。
【産業上の利用可能性】
【００７０】
以上のように、本発明に係る貨幣処理装置及び貨幣処理システムは、貨幣カセットを利用して、売上金や店舗資金等の種類の異なる貨幣の受け渡しを行うために有用である。
【符号の説明】
【００７１】
２  紙幣処理装置
３  ネットワーク
４  外部サーバ
１０  制御部
２０  紙幣処理部
２１  入金口
２２  出金口
２３  搬送部
２４  識別部
２５  収納部
２６（２６ａ〜２６ｆ）  カセット
３０  操作表示部
４０  記憶部
５０  通信部
６０  プリンタ
【図１】
0006775964.tif 000002
【図２】
0006775964.tif 000003
【図３】
0006775964.tif 000004
【図４】
0006775964.tif 000005
【図５】
0006775964.tif 000006
【図６】
0006775964.tif 000007
【図７】
0006775964.tif 000008